(57)【要約】【課題】サーバ側で受信側の保存ファイルに対する扱いを原稿側へ通知する手段から、サービス利用ができると共に受信側で待ち／取得を指定できることにより、いつでも何処でもファイルを取り出すことができるネットワークシステムを提供する。【解決手段】原稿側Ａがサービス利用時にＰＣ２からＷｅｂ上のサービス提供者Ｂのサーバにデータ１の保存を行う。サービス提供者ＢはＷｅｂ上にサーバを提供し、受信側（Ａ’，Ｃ）へ通知を送信する。Ｗｅｂサーバ４に保存された保存データ５は、受信者（外出先）Ａ’が任意に取り出して印刷したり、転送や消去したりすることができる。【選択図】　　　　図１
2004110591.tif 000002
【特許請求の範囲】
【請求項１】
Ｗｅｂ上に接続され、ファイル蓄積可能なサーバによる蓄積手段と、前記蓄積手段にアクセス可能な操作端末と、前記蓄積手段へアクセス可能な受信側端末と前記蓄積手段へアクセス可能な出力手段からなり、前記操作端末利用者は、前記蓄積手段へファイルおよび情報の蓄積を依頼し、その後転送し、前記蓄積手段は前記ファイルが蓄積すると共に前記情報にファイル送信依頼先が指定されている場合は、前記依頼先へファイル転送可否を通知し、アドレス指定がない場合は、前記ファイルの蓄積のみを行う手段と、前記受信側端末利用者は、前記蓄積手段からのファイル転送可否通知の内容にて前記ファイルの保存箇所、内容などの情報を取得し、前記情報を基に前記出力手段から前記蓄積手段へファイル転送を依頼し、前記蓄積手段からの転送によりファイル取得や印刷出力を有するネットワークシステムにおいて、
前記操作端末側から転送された前記ファイルを蓄積する蓄積手段と、
前記蓄積手段へアクセスする出力手段と、
前記ファイルの取得タイミングを前記出力手段からの指示により、前記受信側端末利用者がいつでも何処でも前記ファイルを取得することができる取得手段とを有することを特徴とするネットワークシステム。
【請求項２】
前記蓄積手段は、蓄積ファイルに対する前記受信側端末利用者の状況を前記操作端末側へ逐次報告できることを特徴とする請求項１記載のネットワークシステム。
【請求項３】
前記受信側端末は、前記蓄積手段からの通知に対する応答にファイル取得可能を返すことができることを特徴とする請求項１記載のネットワークシステム。
【請求項４】
前記蓄積手段は、前記受信側端末からの取得可能応答を受けた場合に前記操作端末へ取得可の応答を通知することを特徴とする請求項１または２記載のネットワークシステム。
【請求項５】
前記蓄積手段は出力手段へ蓄積した前記ファイルの転送完了後に、前記操作端末側へ転送完了の通知をすることを特徴とする請求項１または２記載のネットワークシステム。
【請求項６】
前記受信側端末は、即取得しない場合に通知に対する応答に取得待ちを返すことを特徴とする請求項１記載のネットワークシステム。
【請求項７】
前記蓄積手段は、取得待ち返信を受けたらその旨を前記操作端末側へ通知することを特徴とする請求項１または２記載のネットワークシステム。
【請求項８】
前記蓄積手段は前記操作端末から転送される前記ファイルが受信不可能な場合において前記操作端末へ拒否を通知できることを特徴とする請求項１記載のネットワークシステム。
【請求項９】
前記蓄積手段は、既に蓄積されている前記ファイルに対して受信側へファイル転送依頼をできることを特徴とする請求項１記載のネットワークシステム。
【請求項１０】
前記蓄積手段は、前記ファイルの蓄積のみされた場合に保存箇所がわかる内容を操作端末側へ通知できることを特徴とする請求項１記載のネットワークシステム。
【請求項１１】
受信側端末利用者は、蓄積手段からの通知情報により蓄積ファイルのファイル形式を認識する認識手段と、
前記蓄積手段へアクセスする前記出力手段と、
前記受信側端末利用者が前記出力手段から前記蓄積ファイルを取得するファイル取得手段と、
前記受信側端末利用者が前記出力手段からの前記蓄積ファイル取得時に前記ファイル取得手段のためのファイル形式を指定できる形式指定手段と、
前記受信側端末利用者の指定による前記ファイル形式にファイルを変換するファイル変換手段と、
前記受信側端末利用者指定による前記出力手段へ転送する転送手段を有することを特徴とするネットワークシステム。
【請求項１２】
前記形式指定手段は、選べる前記ファイル形式が前記出力手段に存在しない場合や前記受信側端末から取得拒否を受けた場合に前記操作端末側利用者へ取得拒否を通知することを特徴とする請求項１１記載のネットワークシステム。
【発明の詳細な説明】
【０００１】
【発明の属する技術分野】
本発明は、複写機やファクシミリ、プリンタおよびその複合機を含む画像出力機器端末におけるネットワークシステムに関し、特にインターネットを通じて行われるサービスを提供するネットワークシステムに関する。
【０００２】
【従来の技術】
近年、複数の端末機とサーバとを接続したネットワークシステムが実用化されているが、これらの端末機とサーバ間におけるファイル形式が異なることから、端末機とサーバでのデータのやりとりに不都合が生じるといった問題があった。
【０００３】
このような問題を解決することを目的とした技術として以下のような従来技術ある。
ファイル形式変換サービスを含むサーバは、ＬＡＮ接続された端末とサーバ間においての制御にとどまっている（特許文献１を参照）。
また、原稿側からサーバへファイル保存する際に保存ファイル形式を原稿側と交渉してから交渉結果のファイル形式に変換後、受信し保存するシステムとなっている技術やサービス側が受信した電子メールのみの添付ファイルをすぐに予め登録されている出力装置のファイル形式に変換して送信する技術となっている（特許文献２を参照）。
【０００４】
【特許文献１】
特開平８−１２３７１４号公報
【特許文献２】
特開２０００−２７０３２５号公報
【０００５】
【発明が解決しようとする課題】
しかしながら、インターネットやＷＡＮ、ローカルエリア（ＬＡＮ）等のネットワークにて、写真や文書ファイル等のデータを保存および出力するためにサーバを使用するデータ保管サービスが提供されているが、この保存されたファイルに対する受信側の扱い（取得／拒否／待ち）を原稿側が知ることのできるシステムが必要となる。また、ファイル、データ取得する側（以下、受信側）が必要なファイルを取得する場合は保存されているファイル、データの形式に受信側が合わせる必要があり、ファイル、データ作成者（以下原稿側）が受信側の出力可能なファイル形式を事前に考慮してサーバに保管する必要があった。
【０００６】
本発明は係る問題に鑑みてなされたものであり、サーバ側で受信側の保存ファイルに対する扱いを原稿側へ通知する手段を持たすことで原稿側が安心してデータの保存、サービスの利用ができるとともに、受信側で待ち／取得を指定できることによりいつでもどこでもファイルを取り出すことのでき、また、サーバ側でファイル変換手段を持たせ、受信側がファイル形式を指定できることで原稿側がサーバへ保存する際に受信側のファイル形式を認識する必要がなくなり、取得（出力）装置に現存するファイル形式で取得可能にすることができるネットワークシステムを提供することを目的とする。
【０００７】
【課題を解決するための手段】
上記目的を達成するために請求項１記載のネットワークシステムは、Ｗｅｂ上に接続され、ファイル蓄積可能なサーバによる蓄積手段と、蓄積手段にアクセス可能な操作端末と、蓄積手段へアクセス可能な受信側端末と蓄積手段へアクセス可能な出力手段からなり、操作端末利用者は、蓄積手段へファイルおよび情報の蓄積を依頼し、その後転送し、蓄積手段はファイルが蓄積すると共に情報にファイル送信依頼先が指定されている場合は、依頼先へファイル転送可否を通知し、アドレス指定がない場合は、ファイル蓄積のみを行う手段と、受信側端末利用者は、蓄積手段からのファイル転送可否通知の内容にてファイル保存箇所、内容などの情報を取得し、情報を基に出力手段から蓄積手段へファイル転送を依頼し、蓄積手段からの転送によりファイル取得や印刷出力を有するネットワークシステムにおいて、操作端末側から転送されたファイルを蓄積する蓄積手段と、蓄積手段へアクセスする出力手段と、ファイル取得タイミングを出力手段からの指示により、受信側端末利用者がいつでも何処でもファイルを取得することができる取得手段とを有することを特徴とする。
【０００８】
請求項２記載の発明は、請求項１記載のネットワークシステムであって、蓄積手段は、蓄積ファイルに対する受信側端末利用者の状況を操作端末側へ逐次報告できることを特徴とする。
【０００９】
請求項３記載の発明は、請求項１記載のネットワークシステムであって、受信側端末は、蓄積手段からの通知に対する応答にファイル取得可能を返すことができることを特徴とする。
【００１０】
請求項４記載の発明は、請求項１または２記載のネットワークシステムであって、蓄積手段は、受信側端末からの取得可能応答を受けた場合に操作端末へ取得可の応答を通知することを特徴とする。
【００１１】
請求項５記載の発明は、請求項１または２記載のネットワークシステムであって、蓄積手段は出力手段へ蓄積ファイルの転送完了後に、操作端末側へ転送完了の通知をすることを特徴とする。
【００１２】
請求項６記載の発明は、請求項１記載のネットワークシステムであって、受信側端末は、即取得しない場合に通知に対する応答に取得待ちを返すことを特徴とする。
【００１３】
請求項７記載の発明は、請求項１または２記載のネットワークシステムであって、蓄積手段は、取得待ち返信を受けたらその旨を操作端末側へ通知することを特徴とする。
【００１４】
請求項８記載の発明は、請求項１記載のネットワークシステムであって、蓄積手段は操作端末から転送されるファイルが受信不可能な場合において操作端末へ拒否を通知できることを特徴とする。
【００１５】
請求項９記載の発明は、請求項１記載のネットワークシステムであって、蓄積手段は、既に蓄積されているファイルに対して受信側へファイル転送依頼をできることを特徴とする。
【００１６】
請求項１０記載の発明は、請求項１記載のネットワークシステムであって、蓄積手段は、ファイル蓄積のみされた場合に保存箇所がわかる内容を操作端末側へ通知できることを特徴とする。
【００１７】
請求項１１記載のネットワークシステムは、受信側端末利用者は、蓄積手段からの通知情報により蓄積ファイルのファイル形式を認識する認識手段と、蓄積手段へアクセスする出力手段と、受信側端末利用者が出力手段から蓄積ファイルを取得するファイル取得手段と、受信側端末利用者が出力手段からの蓄積ファイル取得時にファイル取得手段のためのファイル形式を指定できる形式指定手段と、受信側端末利用者の指定によるファイル形式にファイルを変換するファイル変換手段と、受信側端末利用者指定による出力手段へ転送する転送手段を有することを特徴とする。
【００１８】
請求項１２記載の発明は、請求項１１記載のネットワークシステムであって、形式指定手段は、選べるファイル形式が出力手段に存在しない場合や受信側端末から取得拒否を受けた場合に操作端末側利用者へ取得拒否を通知することを特徴とする。
【００１９】
【発明の実施の形態】
次に添付図面を参照しながら本発明の実施形態を説明する。
図１は、ネットワークシステムにおけるデータ保管の構成を示した図である。ネットワークシステムは、データ１とＰＣ２、インターネット３、Ｗｅｂサーバ４、保存データ５、ＬＡＮ（原稿側）６、ネットワーク画像出力機器（原稿側）７、通信端末８、ゲートウェイ（原稿側／サービス提供側）９、ＬＡＮ（外出先側）１０、ネットワーク画像出力機器（外出先側）１１から構成されている。
【００２０】
データ１は、受信者側へ渡すファイルやデータのことである。ＰＣ２は、パソコンだけではなく携帯電話といった通信端末も含む。原稿側Ａがサービス利用時にパソコンや携帯電話などの操作端末からＷｅｂ上のサービス提供者Ｂのサーバにデータ１の保存を行う。また、Ｗｅｂサーバ４に保存するデータ１は、日常使用しているＬＡＮ６を通して他のパソコンやデータベースをはじめ、画像出力複合機などに保存されているファイルやＷｅｂを通じて入手できるファイルを検索して保存することもできる。
【００２１】
インターネット３は、公的なネットワーク経由でファイルの受信を行うことを前提としている。サービス提供者ＢはＷｅｂ上にサーバを提供し、受信側（Ａ’，Ｃ）へ通知を送信する。また、受信側からの要求により保存ファイルを出力先へ送信する。Ｗｅｂサーバ４は、サービス提供者Ｂがサービスを提供するためにＷｅｂ上に設けたサーバで原稿側Ａのファイル、データを保存するとともに、受信側（Ａ’，Ｃ）へ通知を送信する。また、受信側からの要求により保存ファイルを出力先へ送信する。
【００２２】
保存データ５は、サービス提供者側Ｂが設けたＷｅｂサーバ４に原稿側Ａが保存したファイルで受信者（外出先側）Ａ’が任意に取り出して印刷したり、転送や消去をしたりできる。ファイル転送依頼された受信者ＣもＷｅｂを通じてファイルが取り出せる。
ＬＡＮ（原稿側）６は、原稿側Ａが日常使用しているパソコン２が接続されているネットワークである。
【００２３】
ネットワーク画像出力機器（原稿側）７は、原稿側Ａが日常使用しているパソコンとＬＡＮ６を介して接続されているプリンタや複写機、複合機などの画像出力端末である。通信端末８は、受信者（外出時）Ａ’と受信者Ｃがサービス提供者Ｂへ接続するために使用する通信端末である。原稿側Ａが外出時に使用する際に、機器の識別情報が未登録の場合は、あらかじめサービス提供者Ｂから貸与されている利用者識別情報を記憶している記憶媒体（ＦＤやメモリカード等）を使用することにより、Ｗｅｂサーバ４接続時の認証確認を行う。通信端末８は、外出先の借用パソコンやモバイル用ノートＰＣ、インターネット接続可能な携帯電話やＰＤＡ、Ｗｅｂ接続が可能なコピー、ファックス、複合機などを含む。
【００２４】
ゲートウェイ（原稿側／サービス提供側）９は、原稿側Ａが日常使用するＰＣ２を接続しているＬＡＮ６とインターネット３の接続とアクセス制御を行う。ＬＡＮ１０（外出先側）は、受信者（Ａ’，Ｃ）がファイル取得するための出力装置（ネットワーク画像出力機器１１）が接続されている。ネットワーク画像出力機器（外出先側）１１は、受信側がファイル取得するための装置である。
【００２５】
次に図２から６に示した動作を図７から１１のフローチャートを参照しながら説明する。
図２は、原稿側がファイルをサービス提供者を介して第３者へ送信したい場合の例を示した図である。
▲１▼は、原稿側Ａはサービス提供者Ｂへファイル保存依頼し、ファイルを転送する。原稿側Ａでは、まず保存済みか否かの判断を行い（ステップＳ１）、保存済みでない場合（ステップＳ１／ＮＯ）、ファイル保存のみか否かの判断を行う（ステップＳ２）。ファイル保存のみの場合（ステップＳ２／ＹＥＳ）、サービス提供者Ｂへ転送を行う（ステップＳ４）。
【００２６】
▲１▼−１は、サービス提供者Ｂは保存済み通知を原稿側Ａへ通知する。
サービス提供者Ｂは、原稿側Ａからのファイル転送を受信する（ステップＳ５）。次に、転送先指定有りか否かの判断を行い（ステップＳ６）、転送先指定が無い場合（ステップＳ６／ＮＯ）、保存可能か否かの判断を行う（ステップＳ８）。保存可能の場合（ステップＳ８／ＹＥＳ）、ファイル保存を実行し（ステップＳ１０）、保存終了を送信準備を行い（ステップＳ１１）、送信する（ステップＳ１３）。原稿側Ａで保存済み通知を受信する（ステップＳ１４）。
【００２７】
▲２▼は、原稿側Ａは受信者側Ｃへファイルを転送したい時にサービス提供者Ｂに転送先を指定しファイル転送依頼を行う。
原稿側Ａでは、保存済みか否かの判断を行い（ステップＳ１）、保存済みである場合は（ステップＳ１／ＹＥＳ）、ファイル転送先指定しサービス提供者Ｂへ依頼をし（ステップＳ３）、サービス提供者Ｂへ転送をする（ステップＳ４）。
【００２８】
▲３▼は、サービス提供者Ｂは受信者Ｃへ原稿側Ａからファイルを預かっている通知を行う。
原稿側Ａからの通知を受信する（ステップＳ５）。転送先指定有りか否かの判断を行い（ステップＳ６）、転送先指定有りの場合（ステップＳ６／ＹＥＳ）、預かり通知送信のみか否かの判断を行う（ステップＳ７）。預かり通知送信のみの場合（ステップＳ７／ＹＥＳ）、預かり通知の送信準備を行い（ステップＳ９）、受信者Ｃへの送信を行う（ステップＳ１３）。
【００２９】
▲４▼は、受信者Ｃは▲３▼の通知に対して保存ファイルの扱いを通知する。また、即取得する場合、後で取得する場合、取得せず、を返信することが可能である。
受信者Ｃは、サービス提供者Ｂからの通知を受信する（ステップＳ１５）。次に、保存されているファイルに対する処理を応答し（取得／待ち／拒否）（ステップＳ１６）、サービス提供者Ｂへ送信する（ステップＳ１７）。
【００３０】
▲５▼は、サービス提供者Ｂは受信側Ｃの保存ファイルに対する通知を原稿側Ａへ通知し状況を逐次報告する。
受信者Ｃからの通知を受信し（ステップＳ１８）、受信側から転送依頼があるか否かの判断を行う（ステップＳ１９）。受信側から転送依頼が無い場合（ステップＳ１９／ＮＯ）、受信側の応答を原稿側へ通知を行い（ステップＳ２３）、原稿側Ａへ送信する（ステップＳ２４）。
【００３１】
▲６▼は、受信者側Ｃがファイルを転送したい時に出力装置側からサービス提供者Ｂへファイル形式を指定してファイル転送依頼を行う。
画像出力機器から転送依頼する時、サービス提供者Ｂへ保存されているファイルの転送依頼準備をする（ステップＳ２５）。次にサービス提供者Ｂにファイル形式が存在するか否かの判断を行う（ステップＳ２６）。サービス提供者Ｂ側にファイル形式存在する場合（ステップＳ２６／ＹＥＳ）、出力ファイル形式を指定し（ステップＳ２８）、サービス提供者Ｂへ送信する（ステップＳ２９）。
【００３２】
▲７▼は、サービス提供者Ｂは依頼を受けた出力装置へ指定されたファイル形式に変換後ファイルの転送を行う。
画像出力装置側からの転送依頼を受信したら（ステップＳ１８）、受信側から転送依頼があるか否かの判断を行う（ステップＳ１９）。受信側転送依頼がある場合は（ステップＳ１９／ＹＥＳ）、保存ファイルを受信側要求のファイル形式に変換をし（ステップＳ２０）、出力装置へ転送をする（ステップＳ２１）。
【００３３】
▲８▼は、サービス提供者Ｂは、ファイルを受信者側Ｂへファイルを転送したことを通知する。
出力装置へ転送した後、転送済みを原稿側へ送信準備をし（ステップＳ２２）、原稿側Ａに送信し（ステップＳ２４）、原稿側Ａが受信する（ステップＳ１４）。
【００３４】
図３は、原稿側がファイルをサービス提供者へ預け、すぐに第３者へファイルを送信したい場合の例を示した図である。
▲１▼において、原稿側Ａはサービス提供者Ｂへファイル保存依頼をし、転送先を指定しファイルを転送する。
原稿側Ａはファイルが保存済みか否かの判断を行う（ステップＳ１）。ファイルが保存済みの場合（ステップＳ１／ＹＥＳ）、ファイル転送先を指定しサービス提供者Ｂへ依頼をし（ステップＳ３）、サービス提供者へ転送する（ステップＳ４）。
【００３５】
▲１▼−１においてサービス提供者Ｂは保存済み通知を原稿側Ａへ通知する。
原稿側Ａからの転送依頼を受信したら（ステップＳ５）、転送先への指定があるか否かの判断を行う（ステップＳ６）。転送先の指定がない場合は（ステップＳ６／ＮＯ）、保存可能か否かの判断を行う（ステップＳ８）。保存可能な場合（ステップＳ８／ＹＥＳ）、ファイル保存を実行し（ステップＳ１０）、保存終了を送信準備し（ステップＳ１１）、原稿側Ａへ送信し（ステップＳ１３）、原稿側Ａで受信する（ステップＳ１４）。
【００３６】
▲２▼においてサービス提供者Ｂは受信者Ｃへ原稿側Ａからファイルを預かっている通知を行う。
原稿側Ａからの転送依頼を受信したら（ステップＳ５）、転送先の指定があるか否かの判断を行う（ステップＳ６）。転送先の指定がある場合（ステップＳ６／ＹＥＳ）、預かり通知送信のみか否かの判断を行い（ステップＳ７）、預かり通知送信のみの場合（ステップＳ７／ＹＥＳ）、預かり通知の送信準備をし（ステップＳ９）、受信側Ｃへ送信する（ステップＳ１３）。
【００３７】
▲３▼において受信者Ｃは▲２▼の通知に対して保存ファイルの扱いを通知する。即取得する場合、後で取得する場合、取得せず、を返信することが可能である。
サービス提供者Ｂからの預かり通知を受信し（ステップＳ１５）、保存されているファイルに対する処理を応答し（取得／待ち／拒否）（ステップＳ１６）、サービス提供者Ｂへ送信する（ステップＳ１７）。
【００３８】
▲４▼においてサービス提供者Ｂは受信側Ｃの保存ファイルに対する通知を原稿側Ａへ通知し状況を逐次報告する。
受信側Ｃからの通知を受信し（ステップＳ１８）、受信側から転送依頼があるか否かの判断を行う（ステップＳ１９）。受信側から転送依頼がない場合（ステップＳ１９／ＮＯ）、受信側の応答を原稿側へ通知し（ステップＳ２３）、原稿側Ａへ送信し（ステップＳ２４）、原稿側Ａで受信する（ステップＳ１４）。
【００３９】
▲５▼において受信者側Ｃはファイルを取得したい時に出力装置側からサービス提供者Ｂへファイル形式を指定してファイル転送依頼を行う。
画像出力装置側より転送依頼する時は、サービス提供者側Ｂへ保存されているファイルの転送依頼準備をし（ステップＳ２５）、画像出力装置側にファイル形式が存在するかどうかの判断を行う（ステップＳ２６）。画像出力装置側にファイル形式が存在する場合（ステップＳ２６／ＹＥＳ）、出力ファイル形式を指定し（ステップＳ２８）、サービス提供者Ｂへ送信する（ステップＳ２９）。
【００４０】
▲６▼においてサービス提供者Ｂは依頼を受けた画像出力装置へ指定されたファイル形式に変換後ファイルの転送を行う。
サービス提供者Ｂは画像出力装置からのファイル転送依頼を受信し（ステップＳ１８）、受信側から転送依頼かの判断を行う（ステップＳ１９）。転送依頼がある場合（ステップＳ１９／ＹＥＳ）、保存ファイルを受信側要求のファイル形式に変換し（ステップＳ２０）、画像出力装置へ転送する（ステップＳ２１）。
【００４１】
▲７▼においてサービス提供者Ｂはファイルを受信者側Ｂへ転送した旨を通知する。
画像出力装置へ転送した後、転送済みを原稿側へ送信準備をし（ステップＳ２２）、原稿側Ａに送信し（ステップＳ２４）、原稿側Ａが受信する（ステップＳ１４）。
【００４２】
図４は、受信側Ｃがサービス提供者Ｂからファイル預かり通知を受け、転送待ちを送信し、ファイルを取得したい時にサービス提供者Ｂへ取得依頼をする場合の例を示した図である。
▲１▼において、原稿側Ａはサービス提供者Ｂへファイル保存依頼をし、転送先を指定しファイルを転送する。
原稿側Ａはファイルが保存済みか否かの判断を行う（ステップＳ１）ファイルが保存済みの場合（ステップＳ１／ＹＥＳ）、ファイル転送先を指定しサービス提供者Ｂへ依頼をし（ステップＳ３）、サービス提供者へ転送する（ステップＳ４）。
【００４３】
▲１▼−１においてサービス提供者Ｂは保存済み通知を原稿側Ａへ通知する。
原稿側Ａからの転送依頼を受信したら（ステップＳ５）、転送先への指定があるか否かの判断を行う（ステップＳ６）。転送先の指定がない場合は（ステップＳ６／ＮＯ）、保存可能か否かの判断を行う（ステップＳ８）。保存可能な場合（ステップＳ８／ＹＥＳ）、ファイル保存を実行し（ステップＳ１０）、保存終了を送信準備し（ステップＳ１１）、原稿側Ａへ送信し（ステップＳ１３）、原稿側Ａが受信する（ステップＳ１４）。
【００４４】
▲２▼においてサービス提供者Ｂは受信者Ｃへ原稿側Ａからファイルを預かっている通知を行う。
原稿側Ａからの転送依頼を受信したら（ステップＳ５）、転送先の指定があるか否かの判断を行う（ステップＳ６）。転送先の指定がある場合（ステップＳ６／ＹＥＳ）、預かり通知送信のみか否かの判断を行い（ステップＳ７）、預かり通知送信のみの場合（ステップＳ７／ＹＥＳ）、預かり通知の送信準備をし（ステップＳ９）、受信側Ｃへ送信する（ステップＳ１３）。
【００４５】
▲３▼において受信者Ｃは▲２▼の通知に対して保存ファイルの扱いを通知する時に後で取得を返信する。
サービス提供者Ｂからの預かり通知を受信し（ステップＳ１５）、保存されているファイルに対する処理を応答し（取得／待ち／拒否）（ステップＳ１６）。サービス提供者Ｂへ送信する（ステップＳ１７）。
【００４６】
▲４▼においてサービス提供者Ｂは受信側Ｃの保存ファイルに対する通知を原稿側Ａへ通知し状況を逐次報告する。
受信側Ｃからの通知を受信し（ステップＳ１８）、受信側から転送依頼があるか否かの判断を行う（ステップＳ１９）。受信側から転送依頼がない場合（ステップＳ１９／ＮＯ）、受信側の応答を原稿側へ通知し（ステップＳ２３）、原稿側Ａへ送信し（ステップＳ２４）、原稿側Ａが受信する（ステップＳ１４）。
【００４７】
▲５▼において受信者側Ｃはファイルを取得したい時に出力装置側からサービス提供者Ｂへファイル形式を指定してファイル転送依頼を行う。
画像出力装置側より転送依頼する時は、サービス提供者側Ｂへ保存されているファイルの転送依頼準備をし（ステップＳ２５）、画像出力装置側にファイル形式が存在するかどうかの判断を行う（ステップＳ２６）。画像出力装置側にファイル形式が存在する場合（ステップＳ２６／ＹＥＳ）、出力ファイル形式を指定し（ステップＳ２８）、サービス提供者Ｂへ送信する（ステップＳ２９）。
【００４８】
▲６▼においてサービス提供者Ｂは依頼を受けた画像出力装置へ指定されたファイル形式に変換後ファイルの転送を行う。
サービス提供者Ｂは画像出力装置からのファイル転送依頼を受信し（ステップＳ１８）、受信側から転送依頼かの判断を行う（ステップＳ１９）。転送依頼がある場合（ステップＳ１９／ＹＥＳ）、保存ファイルを受信側要求のファイル形式に変換し（ステップＳ２０）、画像出力装置へ転送する（ステップＳ２１）。
【００４９】
▲７▼においてサービス提供者Ｂはファイルを受信者側Ｂへ転送した旨を通知する。
画像出力装置へ転送した後、転送済みを原稿側へ送信準備をし（ステップＳ２２）、原稿側Ａに送信し（ステップＳ２４）、原稿側Ａが受信する（ステップＳ１４）。
【００５０】
図５は、受信側Ｃがファイル取得時にサービス提供者Ｂが提供するファイル形式変換サービスのファイル形式が画像出力側にない場合に拒否を通知する例を示した図である。
▲１▼において、原稿側Ａはサービス提供者Ｂへファイル保存依頼をし、転送先を指定しファイルを転送する。
原稿側Ａはファイルが保存済みか否かの判断を行う（ステップＳ１）。ファイルが保存済みの場合（ステップＳ１／ＹＥＳ）、ファイル転送先を指定しサービス提供者Ｂへ依頼をし（ステップＳ３）、サービス提供者へ転送する（ステップＳ４）。
【００５１】
▲１▼−１においてサービス提供者Ｂは保存済み通知を原稿側Ａへ通知する。
原稿側Ａからの転送依頼を受信したら（ステップＳ５）、転送先への指定があるか否かの判断を行う（ステップＳ６）。転送先の指定がない場合は（ステップＳ６／ＮＯ）、保存可能か否かの判断を行う（ステップＳ８）。保存可能な場合（ステップＳ８／ＹＥＳ）、ファイル保存を実行し（ステップＳ１０）、保存終了を送信準備し（ステップＳ１１）、原稿側Ａへ送信し（ステップＳ１３）、原稿側Ａが受信する（ステップＳ１４）。
【００５２】
▲２▼においてサービス提供者Ｂは受信者Ｃへ原稿側Ａからファイルを預かっている通知を行う。
原稿側Ａからの転送依頼を受信したら（ステップＳ５）、転送先の指定があるか否かの判断を行う（ステップＳ６）。転送先の指定がある場合（ステップＳ６／ＹＥＳ）、預かり通知送信のみか否かの判断を行い（ステップＳ７）、預かり通知送信のみの場合（ステップＳ７／ＹＥＳ）、預かり通知の送信準備をし（ステップＳ９）、受信側Ｃへ送信する（ステップＳ１３）。
【００５３】
▲３▼において受信者Ｃは▲２▼の通知に対して保存ファイルの扱いを通知する。即取得する場合、後で取得する場合、取得せず、を返信することが可能である。
サービス提供者Ｂからの預かり通知を受信し（ステップＳ１５）、保存されているファイルに対する処理を応答し（取得／待ち／拒否）（ステップＳ１６）、サービス提供者Ｂへ送信する（ステップＳ１７）。
【００５４】
▲４▼においてサービス提供者Ｂは受信側Ｃの保存ファイルに対する通知を原稿側Ａへ通知し状況を逐次報告する。
受信側Ｃからの通知を受信し（ステップＳ１８）、受信側から転送依頼があるか否かの判断を行う（ステップＳ１９）。受信側から転送依頼がない場合（ステップＳ１９／ＮＯ）、受信側の応答を原稿側へ通知し（ステップＳ２３）、原稿側Ａへ送信し（ステップＳ２４）、原稿側Ａが受信する（ステップＳ１４）。
【００５５】
▲５▼においてファイル形式指定時に指定できない場合は、そのまま取得拒否を行う。
画像出力側より転送依頼をする時、サービス提供者Ｂへ保存されているファイルの転送依頼準備をし（ステップＳ２５）、画像出力側にファイル形式が存在するか否かの判断を行う（ステップＳ２６）。ファイル形式が存在しない場合（ステップＳ２６／ＮＯ）、取得拒否通知準備を行い（ステップＳ２７）サービス提供者Ｂへ送信する（ステップＳ２９）。
【００５６】
▲６▼においてサービス提供者Ｂは原稿側Ａに対して受信者Ｃが取得を拒否した旨を通知する。
受信側Ｃからの通知を受信し（ステップＳ１８）、受信側から転送依頼があるか否かの判断を行う（ステップＳ１９）。受信側から転送依頼がない場合（ステップＳ１９／ＮＯ）、受信側の応答を原稿側へ通知し（ステップＳ２３）、原稿側Ａへ送信し（ステップＳ２４）、原稿側Ａが受信する（ステップＳ１４）。
【００５７】
図６は、原稿側がファイルをサービス提供者Ｂへ預け、転送先を自分の端末に指定し、外出先で保存ファイルを取得する場合の例である。
▲１▼において、原稿側Ａはサービス提供者Ｂへファイル保存依頼をし、転送先を指定しファイルを転送する。
原稿側Ａはファイルが保存済みか否かの判断を行う（ステップＳ１）。ファイルが保存済みの場合（ステップＳ１／ＹＥＳ）、ファイル転送先を指定しサービス提供者Ｂへ依頼をし（ステップＳ３）、サービス提供者へ転送する（ステップＳ４）。
【００５８】
▲１▼−１においてサービス提供者Ｂは保存済み通知を原稿側Ａへ通知する。
原稿側Ａからの転送依頼を受信したら（ステップＳ５）、転送先への指定があるか否かの判断を行う（ステップＳ６）。転送先が指定ない場合は（ステップＳ６／ＮＯ）、保存可能か否かの判断を行う（ステップＳ８）。保存可能な場合（ステップＳ８／ＹＥＳ）、ファイル保存を実行し（ステップＳ１０）、保存終了を送信準備し（ステップＳ１１）、原稿側Ａへ送信し（ステップＳ１３）、原稿側Ａが受信する（ステップＳ１４）。
【００５９】
▲２▼においてサービス提供者Ｂは受信者Ｃへ原稿側Ａからファイルを預かっている通知を行う。
原稿側Ａからの転送依頼を受信したら（ステップＳ５）、転送先の指定があるか否かの判断を行う（ステップＳ６）。転送先の指定がある場合（ステップＳ６／ＹＥＳ）、預かり通知送信のみか否かの判断を行い（ステップＳ７）、預かり通知送信のみの場合（ステップＳ７／ＹＥＳ）、預かり通知の送信準備をし（ステップＳ９）、受信側Ｃへ送信する（ステップＳ１３）。
【００６０】
▲３▼において受信者Ｃは▲２▼の通知に対して保存ファイルの扱いを通知する。即取得する場合、後で取得する場合、取得せず、を返信することが可能である。
サービス提供者Ｂからの預かり通知を受信し（ステップＳ１５）、保存されているファイルに対する処理を応答し（取得／待ち／拒否）（ステップＳ１６）、サービス提供者Ｂへ送信する（ステップＳ１７）。
【００６１】
▲４▼においてサービス提供者Ｂは受信側Ｃの保存ファイルに対する通知を原稿側Ａへ通知し状況を逐次報告する。
受信側Ｃからの通知を受信し（ステップＳ１８）、受信側から転送依頼があるか否かの判断を行う（ステップＳ１９）。受信側から転送依頼がない場合（ステップＳ１９／ＮＯ）、受信側の応答を原稿側へ通知し（ステップＳ２３）、原稿側Ａへ送信し（ステップＳ２４）、原稿側Ａが受信する（ステップＳ１４）。
【００６２】
▲５▼において受信者側Ｃはファイルを取得したい時に出力装置側からサービス提供者Ｂへファイル形式を指定してファイル転送依頼を行う。
画像出力装置側より転送依頼する時は、サービス提供者側Ｂへ保存されているファイルの転送依頼準備をし（ステップＳ２５）、画像出力装置側にファイル形式が存在するかどうかの判断を行う（ステップＳ２６）。画像出力装置側にファイル形式が存在する場合（ステップＳ２６／ＹＥＳ）、出力ファイル形式を指定し（ステップＳ２８）、サービス提供者Ｂへ送信する（ステップＳ２９）。
【００６３】
▲６▼においてサービス提供者Ｂは依頼を受けた画像出力装置へ指定されたファイル形式に変換後ファイルの転送を行う。
サービス提供者Ｂは画像出力装置からのファイル転送依頼を受信し（ステップＳ１８）、受信側から転送依頼かの判断を行う（ステップＳ１９）。転送依頼がある場合（ステップＳ１９／ＹＥＳ）、保存ファイルを受信側要求のファイル形式に変換し（ステップＳ２０）、画像出力装置へ転送する（ステップＳ２１）。
【００６４】
▲７▼においてサービス提供者Ｂはファイルを受信者側Ｂへ転送した旨を通知する。
画像出力装置へ転送した後、転送済みを原稿側へ送信準備をし（ステップＳ２２）、原稿側Ａに送信し（ステップＳ２４）、原稿側Ａが受信する（ステップＳ１４）。
【００６５】
【発明の効果】
以上の説明から明らかなように、今までのネットワークを利用したデータ保管サービスとは異なり、受信者側がいつでも何処でもファイルの取り出しが可能となることを基本とし、サービス提供側に受信側の指定したファイル形式にファイル変換できる手段を持たすことにより原稿側が受信側のファイル形式を考慮する必要がなくなるため、ファイル、データをサーバへ保存する処理をスムーズに進めることができ、閲覧不可能なファイルの受信をしなくて済む。
【００６６】
また、受信側の保存ファイルに対する進行状況を原稿側へ通知できることから原稿側と受信側の直接の連絡が必要なくなると共に利用者が安心してこのサービスを利用できる。
【図面の簡単な説明】
【図１】本発明の実施形態におけるネットワークシステムにおいてデータ保管サービスの構成を示した図である。
【図２】本発明の実施形態におけるネットワークシステムにおいてファイルを預け、後に転送依頼をする場合を示したブロック図である。
【図３】本発明の実施形態におけるネットワークシステムにおいてファイルを預け、転送依頼をする場合を示したブロック図である。
【図４】本発明の実施形態におけるネットワークシステムにおいて受信側が転送待ち、後に転送依頼する場合を示したブロック図である。
【図５】本発明の実施形態におけるネットワークシステムにおいて受信側が出力時に拒否をする場合を示したブロック図である。
【図６】本発明の実施形態におけるネットワークシステムにおいて原稿側、受信側が同一の場合を示したブロック図である。
【図７】本発明の実施形態における図２から６の動作を示したフローチャートである。
【図８】本発明の実施形態における図２から６の動作を示したフローチャートである。
【図９】本発明の実施形態における図２から６の動作を示したフローチャートである。
【図１０】本発明の実施形態における図２から６の動作を示したフローチャートである。
【図１１】本発明の実施形態における図２から６の動作を示したフローチャートである。
【符号の説明】
１　データ
２　ＰＣ
３　インターネット
４　Ｗｅｂサーバ
５　保存データ
６　ＬＡＮ（原稿側）
７　ネットワーク画像出力機器（原稿側）
８　通信端末
９　ゲートウェイ（原稿側／サービス提供側）
１０　ＬＡＮ（外出先側）
１１　ネットワーク画像出力機器（外出先側）
【図１】
2004110591.tif 000003
【図２】
2004110591.tif 000004
【図３】
2004110591.tif 000005
【図４】
2004110591.tif 000006
【図５】
2004110591.tif 000007
【図６】
2004110591.tif 000008
【図７】
2004110591.tif 000009
【図８】
2004110591.tif 000010
【図９】
2004110591.tif 000011
【図１０】
2004110591.tif 000012
【図１１】
2004110591.tif 000013